(57)【特許請求の範囲】
【請求項１】
建造物の天井部若しくは開口部の上部に沿って設置され、建造物用開閉体の機構部を覆う略横長箱形状の開閉体機構部収納ケースの構造において、
前記ケースは、ケースの上部に略水平に設けられた上カバーと、上カバーの前縁にその上縁を着脱自在に接合された状態で略垂直に配置された前カバーとを備え、
前記上カバーの前縁直下には、断面略Ｌ形をした受け部を一体に形成する一方、前記前カバーの上縁内側には前記受け部に前方から離接かつ回動可能に連結される断面略逆Ｌ字形の係止部を一体に形成し、
前記受け部の内奥部には、前記係止部の先端を受け部内に向けて挿通位置決めするガイド用突起部を一体に突出形成するとともに、受け部の先端には、前記係止部の背面に当接して係止部の抜止めを行うストッパ部を一体に立設し、
前記上カバーの受け部内に前記前カバーの係止部を前方から嵌挿した状態では、前記前カバーが前記上カバーに対して係合自在となり、前記前カバーの係止部を前記上カバーの受け部に対し上前方に回動して引き出すことにより、前記上カバーに対して前記前カバーを取り外し自在としたことを特徴とする開閉体機構部収納ケースの構造。
【請求項２】
前記上カバーは、その前縁部が前記受け部の基部から前方に延出しているとともに、受け部の基部付近から上カバーの前縁部先端にかけて前下方に下がっており、前記前カバーの上縁部は、前記係止部の基部から後方に延出されるとともに前記上カバーの前縁部と接合自在とされ、前記受け部は、上カバーの前部の下面に下方向に傾斜状に形成され、前記係止部は、受け部の内面に嵌合されるように、前カバーの上部の背面に上方向に傾斜状に形成され、前記ガイド用突起部は、前上方に傾斜して突出されていることを特徴とする請求項１に記載の開閉体機構部収納ケースの構造。
【請求項３】
前記係止部の前面の下部には、前記受け部のストッパー部が下方から嵌合する凹段部が形成されていることを特徴とする請求項１又は２に記載の開閉体機構部収納ケースの構造。
【請求項４】
前記前カバーは、互いに着脱自在に結合される上半部と下半部に分割形成されていることを特徴とする請求項１乃至３のいずれかに記載の開閉体機構部収納ケースの構造。
【請求項５】
前記前カバーの下縁には、上方向に略鉤形に折り曲げ形成される折曲部が一体に形成され、該折曲部が前記ケースの下カバーの下面に接合して、着脱自在に固定されることを特徴とする請求項１乃至４のいずれかに記載の開閉体機構部収納ケースの構造。
【請求項６】
前記前カバーと前記ケースの下カバーとが連続して形成され、前カバーと下カバーとを一体として前記上カバーに対して取り外し自在としたことを特徴とする請求項１乃至４のいずれかに記載の開閉体機構部収納ケースの構造。
【請求項７】
前記開閉体が前記ケース内に巻取式に格納されるシャッターであり、前記開閉体機構部が該シャッターを巻取るための巻取機構であることを特徴とする請求項１乃至５のいずれかに記載の開閉体機構部収納ケースの構造。
【請求項８】
前記開閉体が、前記ケースの下部に沿って移動可能な引戸であり、前記開閉体機構部が該引戸を懸垂ガイドするガイドレールを備えたものであることを特徴とする請求項１乃至５のいずれかに記載の開閉体機構部収納ケースの構造。
【発明の詳細な説明】
【技術分野】
【０００１】
本発明は、建造物用シャッターなどの開閉体の機構部を収納するケースの構造に関する。
【背景技術】
【０００２】
例えば、工場などにおいて、構内の作業場所を可変式に間仕切るための装置として、シートシャッターなどの電動式のシャッター装置がある。このシャッター装置は、シャッターカーテンを巻胴と称される大径であって内部中空のシャフト本体の両端に支持軸を接合したものであり、シャフト本体の外周にシートシャッターの一端を巻きつけ固定し、これをシャッターケースの内部に配置し、支持軸の一端に連結したモータの正逆駆動によりシャッターケース下部に形成されたスリットを通じて昇降可能としたものである。
それ故、シャッターケースは大スパンであって、断面略箱形に形成されたものが用いられるのであるが、メンテナンスのため、ケース内部を開けようとする場合に、天井面に近い位置にケースが位置しているため、脚立や作業構台上で、ケースの前カバーを取去って内部を覗くためには、ケースの前カバーが落ちないように注意を払ながら各部を止めている複数のビスなどの止め具を外さなければならず、不安定な姿勢で面倒な分解作業を要していた。
【０００３】
このため、前カバーの上縁を上カバーの前縁に回動式に係合することによって、着脱の簡素化を図ったケースが開示されている（特許文献１）。この構造によれば、前カバーの下部のみを止め具で着脱すればよく、前カバーの着脱を容易にできる。
【先行技術文献】
【特許文献】
【０００４】
【特許文献１】特開２００８−４５２７０号公報
【発明の概要】
【発明が解決しようとする課題】
【０００５】
この構造を前記シャッター装置に適用した場合には、ケースの取付位置は天井面ぎりぎりの位置であるため、上カバーに対する前カバーの取付取外しを可能とする前カバーの回動しろを確保するためには、天井材をはつり取るか、あるいは天井面よりかなり低い位置にカバーの取付位置を設定しなければならなかった。
【０００６】
本発明は、以上の課題を解決するものであって、ケースを天井面に最接近させて取付けた場合であっても、メンテナンス時における上カバーに対する前カバーの装着・離脱操作を容易にできるようにした開閉体機構部収納ケースの構造を提供するものである。
【課題を解決するための手段】
【０００７】
上記課題を解決するための手段を、第１実施形態に対応する図１乃至図４を参照して説明する。
本発明は、建造物の天井部若しくは開口部の上部に沿って設置され、建造物用開閉体の機構部を覆う略横長箱形状の開閉体機構部収納ケースの構造において、前記ケース１は、ケースの上部に略水平に設けられた上カバー１６と、上カバー１６の前縁にその上縁を着脱自在に接合された状態で配置された前カバー２２とを備えている。
【０００８】
前記上カバー１６の前縁直下には、断面略Ｌ形をした受け部３２を一体に形成する一方、前記前カバー２２の上縁内側には前記受け部３２に前方から離接かつ回動可能に連結される断面略逆Ｌ字形の係止部３４を一体に形成し、前記受け部３２の内奥部には、前記係止部３４の先端を受け部３２内に向けて挿通位置決めするガイド用突起部３２ａを一体に突出形成するとともに、受け部３２の先端には、前記係止部３４の背面に当接して係止部３４の抜止めを行うストッパ部３２ｂを一体に立設する。
【０００９】
前記上カバー１６の受け部３２内に前記前カバー２２の係止部３４を前方から嵌挿した状態では、前記前カバー２２が前記上カバー１６に対し、係合自在となり、前記前カバー２２の係止部３４を前記上カバー１６の受け部３２に対し上前方に回動して引き出すことにより、前記前カバー２２に対し前記上カバー１６を取り外し自在としたことを特徴とする開閉体機構部収納ケースの構造にある。
【００１０】
上記の構造によれば、上カバー１６の受け部３２内に前カバー２２の係止部３４が嵌合した状態で結合保持され、手を離しても結合状態が維持されるところから、結合した後に前カバー２２の下縁を下カバー２０に固定具Ｂ２を介して結合すれば良い。この結合状態において、ストッパ部３２ｂが前カバー２２の下向き重量を有効に支えることになる。また、前カバー２２を上カバー１６から取り外す時には、上記固定具Ｂ２を取り外した後に、前カバー２２を上カバー１６に対してやや上方に回動させて引き出すようにすれば良く、その場合、ガイド用突起部３２ａが着脱方向のガイドとなり、また、上記結合保持状態で、係止部３４の先端が上方に移動することを防止する。
上カバー１６と受け部３２並びにそのガイド用突起部３２ａ及びストッパ部３２ｂとは、上カバー１６の押出成型時に一体に成形される。また、前カバー２２と係止部３４とは、同様にその押出成型時に一体に成形される。
【００１１】
請求項２では、前記上カバー１６は、その前縁部１６' が前記受け部３２の基部から前方に延出しているとともに、受け部３２の基部付近から上カバー１６の前縁部１６' 先端にかけて前下方に下がっており、前記前カバー２２の上縁部２２''は、前記係止部３４の基部から後方に延出されるとともに前記上カバー１６の前縁部１６' と接合自在とされ、前記受け部３２は、上カバー１６の前部の下面に下方向に傾斜状に形成され、前記係止部は、受け部の内面に嵌合されるように、前カバーの上部の背面に上方向に傾斜状に形成され、前記ガイド用突起部３２ａは、前上方に傾斜して突出されていることを特徴とする開閉体機構部収納ケースの構造にある。
【００１２】
上記の構造によれば、前カバー２２を上カバー１６に対してやや上方に回動させて引き出すようにして取り外す時に、前カバー２２の上方回動範囲を、上カバー１６の受け部３２の基部付近から前縁部１６' の先端までの下り高さの範囲内で行わせることができ、ケース１を建造物の天井板１４に可及的に近い上部位置に取り付けることができる。
【００１３】
請求項３では、前記係止部３４の前面の下部には、前記受け部３２のストッパー部３２ｂが下方から嵌合する凹段部３４ａが形成されていることを特徴とする開閉体機構部収納ケースの構造にある。
【００１４】
上記の構造によれば、前カバー２２を上カバー１６に対して安定してガタツキなく取り付けることができる。
【００１５】
請求項４では、前記前カバー２２は、互いに着脱自在に結合される上半部２２ａと下半部２２ｂに分割形成されていることを特徴とする開閉体機構部収納ケースの構造にある。
【００１６】
上記の構造によれば、上半部２２ａを上カバー１６に取り付けてから、下半部２２ｂを取り付けることができ、ケースが横方向に長く、前カバーの重量が重い場合には、その取り付け作業が容易となる。
尚、前カバー２２を一枚板により形成させることができること、もちろんである。
【００１７】
請求項５では、前記前カバー２２の下縁には、上方向に略鉤形に折り曲げ形成される折曲部２２''が一体に形成され、該折曲部２２''が前記ケース１の下カバー２０の下面に接合して、着脱自在に固定されることを特徴とする開閉体機構部収納ケースの構造にある。
【００１８】
上記の構造によれば、折曲部２２''を前カバー２２の着脱操作時の手掛けとして利用することができ、また、固定具Ｂ２の取り付け位置の目安ともなり、ビス固定具Ｂ２の頭部を隠すことができる。
【００１９】
請求項６では、前記前カバーと前記ケースの下カバーとが連続して形成され、前カバーと下カバーとを一体として前記上カバーに対して取り外し自在としたことを特徴とする開閉体機構部収納ケースの構造にある。
【００２０】
請求項７では、前記開閉体が前記ケース内に巻取式に格納されるシャッターであり、前記開閉体機構部が該シャッターを巻取るための巻取機構であることを特徴とする。
なお、シャッターとしては、シートシャッターのほか、多数のスラットを連ねたスラットシャッター、あるいはパイプシャッターなどを掲げることができる。
【００２１】
請求項８では、前記開閉体が、前記ケースの下部に沿って移動可能な引戸であり、前記開閉体機構部が該引戸を懸垂ガイドするガイドレールを備えたものであることを特徴とする。
この場合引戸を開閉させるための動力は、人力による引戸の開閉操作であってもよいし、センサなどと組合わせて自動的に開閉を行わせるようにしてもよい。
【発明の効果】
【００２２】
本発明では、上カバーと天井面との隙間が極めて小さくても、回動式操作により容易に前カバーの係合離脱操作を行うことができ、天井部などのはつり取り作業を伴うことなく、取付取外しが可能となる。
また、上カバーに対し前カバーが安定してガタツキなく取り付け固定され、その抜き出し分離作業も容易で、ケース内部の機構部の保守点検が容易となる。
【００２３】
請求項７記載の発明では、巻取式シャッターの内部機構の定期メンテナンス時におけるカバーの開閉構造として好適である。
【００２４】
請求項８記載の発明では、引戸の上部機構部の定期メンテナンス時におけるカバーの開閉構造として好適である。
【図面の簡単な説明】
【００２５】
【図１】本発明をシャッター装置に適用した第１実施形態における全体構成を示す斜視図である。
【図２】収納ケースおよびその内部構造を示す断面図である。
【図３】（ａ），（ｂ），（ｃ）は図２の円内Ａ、Ｂ，Ｃの拡大断面図である。
【図４】（ａ），（ｂ）は前カバーの取外し手順を示す一部拡大部分を示す断面図である。
【図５】本発明を引戸装置に適用した第２実施形態を示す正面図である。
【図６】図５のＤ−Ｄ線における要部拡大断面図である。
【発明を実施するための形態】
【００２６】
以下、本発明をシャッター装置に適用した第１実施形態を図１〜４を参照して説明する。
【００２７】
図１において、シャッター装置は、建造物内の天井部近辺に水平配置されたシャッターケース１と、ケース１の長手方向両端に嵌め付けられた左右１対の側板２と、ケース１の左右の下部に一体垂設され、その上端をケース１内に連通するとともに、下端を床面ＦＬに着床させた左右一対のガイドレール３と、ガイドレール３に両側を昇降可能にガイドされて建物内の開口部を仕切る開閉体としてのシートカーテンを構成するシャッターカーテン４とを備えている。
【００２８】
ケース１は、全体として略横長箱形状をなし、図２及び図４に示すように、建造物内の天井部直下に設けた梁、または垂れ壁などの壁面１０に固定された背板１２と、背板１２の長手方向両側に突設された側板２と、天井板１４の直下において背板１２の上端に略水平に固定された上カバー１６と、上縁を上カバー１６の前縁に着脱自在に係合され、下縁を下カバー２０に着脱自在に固定された略垂直の前カバー２２とに分割構成されている。下カバー２０の背部には前記シャッターカーテン４を昇降ガイドするスリット１８ａを上下方向に形成したガイドレール１８が設けられている。
【００２９】
シャッターカーテン４の下縁には、袋状をなし、シャッターカーテン４が着床した際に可撓変形して床面に密着することにより、シャッターカーテン４で仕切られる内外を気密に仕切る可撓性錘２４が取付けられている。
【００３０】
さらに、ケース１内には、図２における紙面直交方向に前記シャッターカーテン４を巻取る大径のシャフト本体２６が配置され、本体２６の両端中心部に突設した支持軸２８を、側板２の内側に配置された軸受用のブラケット３０に回転可能に軸受している。なお、一方の支持軸２６は図示しない駆動モータに連動し、駆動モータの正逆回転によってシートカーテン４を巻上げ、繰出しを可能としている。
【００３１】
前カバー２２は、上下半分割され、この前カバー上半部２２ａと、前カバー下半部２２ｂとは、図３（ａ）に拡大して示すように、内側に一体に突出形成された板状の上下フランジ部２２ａ１，２２ｂ１同士を重合させビス固定具Ｂ１を介して互いに連結一体化している。
上フランジ部２２ａ１は、前カバー上半部２２ａの下縁に沿って、前カバー上半部２２ａの内側に板状に突出形成され、前カバー上半部２２ａの下縁と上フランジ部２２ａ１の上面とは前方に略コ形に開口する連結片部２２ａ２によって一体に結合され、連結片部２２ａ２の前部上面には下向きに上係合突起部２２ａ３が一体に突出されている。
下フランジ部２２ｂ１は、前カバー下半部２２ｂの上縁に沿って、前カバー下半部２２ｂの内側に板状に突出形成され、下フランジ部２２ｂ１の先端部には断面略コ形の係合片部２２ｂ２が上向き前方に一体に形成され、上フランジ部２２ａ１との重合時に上フランジ部２２ａ１の先端部が係合片部２２ｂ２内に挿入係合されるようになっている。下フランジ部２２ｂ１の基部は、前カバー下半部２２ｂの上縁のやや下方の内面に突出形成され、前カバー下半部２２ｂの上縁と下フランジ部２２ｂ１の基部との間における前カバー下半部２２ｂの内面には、下係合突起部２２ｂ３が内向き水平に一体に突出され、上フランジ部２２ａ１との重合時に上フランジ部２２ａ１の基部が下係合突起部２２ｂ３の下面に挿入され、下係合突起部２２ｂ２の上面には、上記上係合突起部２２ａ３が突出されるようになっている。      
上記の構成により、前カバー上半部２２ａと前カバー下半部２２ｂとの結合時に、前カバー上半部２２ａの上フランジ部２２ａ１と前カバー下半部２２ｂの下フランジ部２２ｂ１とは、互いに長手方向に差込み状態で着脱自在に嵌合され、固定具Ｂ１を介して互いに連結一体化している。
なお、前カバー２２は、一枚の板状に形成しても良いことは勿論である。
【００３２】
前カバー２２の上端と上カバー１６前端縁の接合箇所は、図３（ｂ）に拡大して示すように、前カバー２２の上縁部２２' が上カバー１６の前縁部１６' の下方に向けた湾曲円弧面に連続する湾曲円弧面に形成されており、かつそれぞれの接合縁は互いに回動可能に突合わされている。
【００３３】
上カバー１６の前縁部１６' の下面には略Ｌ字形断面の受けレールよりなる受け部３２が前方（図２において右方向）に向けて下向き傾斜状に突設されており、これに対向して前カバー２２の上縁部２２' の内側には前記受け部３２に係合離脱可能な断面略逆Ｌ字形の係止レールよりなる係止部３４が前方に向けて上向き傾斜状に突設されている。上カバー１６の前縁部１６' の先端は、受け部３２の基部から下方向に湾曲状として前方に下りながら突出し、前カバー２２の上縁部２２' の先端は、受け部３２の基部から上方向に湾曲状として突出し、連続した円弧面を構成している。
本実施形態の図示例では、上述したように、上カバー１６の前縁部１６' は、受け部３２の基部から前方に突出しているとともに前下方に湾曲されており、前カバー２２の上縁部２２' は、係止部３４の基部から後方に延出されるとともに上カバー１６の前縁部１６' と略湾曲延長状に接合自在とされる意匠性の良好な形状となっている。
しかしながら、このような形状に限らず、少なくとも上カバー１６の前縁部１６' の突出の仕方が前方に下がるような形状であれば良く、前カバー２２の上縁部２２' も、その先端が上カバー１６の前縁部１６' の先端に接合自在な形状であれば良い。すなわち、少なくとも、上カバー１６は、その前縁部１６' が受け部３２の基部から前方に延出しているとともに、受け部３２の基部付近から上カバー１６の前縁部１６' 先端にかけて前下方に下がっており、前カバー２２の上縁部２２''は、係止部３４の基部から後方に延出されるとともに上カバー１６の前縁部１６' に接合自在とされた形状であれば良い。
【００３４】
これに加え、受け部３２の内奥部には係止部３４の挿通ガイド用の突起部３２ａが水平ないし上方に向けて傾斜状に突設されているとともに、受け部３２の先端には前記係止部３４のＬ形基部に係合して抜止めを行うストッパ部３２ｂがコ字形をなして立上げ形成されている。接合状態において、係止部３４の先端は、突起部３２ａに挿通位置を規制され、突起３２ａと受け部３２の内奥部との間を回動基点として回動自在に係合している。また、係止部３４の基部の外面には、前記ストッパ部３２ｂの上端に下方向から係合する段差部３４ａが形成され、これらにより前カバー２２の閉止時にレール状の受け部３２及び係止部３４同士がはぜ込み式に係合され、上カバー１６の前部に前カバー２２の上端を垂直かつ強固に接合している。
受け部３２の突起部３２ａの先端とストッパ部３２ｂの先端との間には、前カバー２２の係止部３４先端側が余裕を持って通り抜けられる程度（例えば前カバー２２の係止部３４先端部の板厚より０．５〜５ｍｍ大きい程度）の高低差が形成されている。
【００３５】
さらに、前カバー２２と下カバー２０との結合は、図３（ｃ）に拡大して示すように、下カバー２０の前縁に段差２０ａを形成する一方、前カバー２２の下縁をこの段差２０ａの下面に位置決め係合させた上で、両者を貫通してビス固定具Ｂ２をねじ込むことにより、固定される。なお、このビス固定箇所は紙面直交方向に複数箇所あることは勿論である。前カバー２２の下縁は、後方に略Ｌ形に折曲されるとともに、上方向に略鉤形に折り曲げられて略逆Ｌ形の折曲部２２''とされている。
この折曲部２２''は、前カバー２２を着脱操作する時の手掛けとなり、また、固定具Ｂ２の頭部を隠す凹部を構成する。
【００３６】
以上の構成において、図２に示すケース１が完全に閉じられた状態から、メンテナンスのために内部機構を覗く場合の手順を図４を用いて説明する。
【００３７】
最初の作業手順としては、前カバー２２と下カバー２０間を結合している固定具Ｂ２（図３（ｃ）参照）を取外せば、前カバー２２の下部はフリー状態となり、この状態で図４（ａ）に示すように上カバー１６の前縁を基点に前カバー２２を前方に向けてやや傾動させることにより、係止部３４が受け部３２の内奥部を基点に回動し、ストッパ片３２ｂから掛け外され、受け部３２から離脱する。次いで、（ｂ）の矢印に示すように、掛け外された状態で、そのまま前カバー２２を手前側（図４における右側）に引けば取外しかできる。この取外し操作時において前カバー２２の回動に伴う持上げ高さは、上カバー２２の前縁部１６' の略上下湾曲幅内でよく、上カバー１６と天井材１４間の隙間ｄが僅かであっても十分な余裕を持って取外しが可能となる。
【００３８】
取付に際しては、前記とは逆に前カバー２２の上縁を上カバー１６の前縁に引掛け係止することにより、係止部３４の先端が、受け部３２の内奥部に自動的に位置決めされるので、この位置を回動基点として、閉止方向に回動させれば、元の垂直な閉止状態になる。この状態では前カバー２２の下縁の折曲部２２''が下カバー２０の段差２０ａの下面に位置決め状態に係合するので、ねじ孔位置を合わせて固定具Ｂ２によるビス止めを行うことにより、再び図２に示すように完全に前カバー２２を閉止位置に固定できる。以上の操作における受け部３２，係止部３４同士の係合、離脱は、直接目視できなくとも、係合時の感触により体感でき、めくら作業であっても確実性良好かつ簡単にセットすることができる。
【００３９】
なお、本実施形態において、ケース１が大スパンで大形であり、重量がかさむ場合の組立分解方法として、前ケース２２をそのままの形で着脱するのではなく、予め前ケース上半部２２ａと前ケース下半部２２ｂとを分離しておき、前ケース上半部２２ａのみを回動操作により、係合離脱操作し、その後固定具Ｂ１によるビス止めにより前ケース上半部２２ａに前ケース下半部２２ｂを連結することもできる。
【００４０】
次に、図５，６は本発明の第２実施形態を示している。本実施形態では、開閉体として、建物開口部を開閉可能に覆う引戸５０としたものであり、この引戸５０の上部は左右方向移動可能に懸垂支持されているとともに、引戸５０の上縁およびその駆動機構部をケース１で覆っている。
【００４１】
ケース１の機構部は、背板１２の前面に紙面と直交する方向に沿って固定された断面略Ｌ字形のガイドレール６４と、引戸５０の上部に固定されたブラケット６６に回転可能に軸支され、かつ前記ガイドレール６２の先端部に跨設され、ガイドレール６４に沿って転動するガイドローラ６６とを備えており、引戸５０の開閉操作に応じて軽い動作で開口５０ａを開閉できるようになっている。なお、ガイドローラ６６は、図の紙面直交方向に少なくとも二箇所以上設けられている。
【００４２】
第２実施形態において、ケース１の下カバーは、前カバー２２の下縁に略Ｌ形に一体に連続して形成されている。
従って、第２実施形態では、上カバー１６に対し、前カバー２２と下カバーが一体として着脱される。
【００４３】
また、本実施形態において、引戸５０の開閉は人手で行うようにしても良いし、センサと連動して、自動的にレール６２に沿って移動して開閉する構成であってもよい。
【００４４】
ケース１の構造は、上記第１実施形態と同様であるので、共通する構成部分には共通する符号を付して、詳細な説明は省略する。
【産業上の利用可能性】
【００４５】
本発明に係るケースは、開閉体機構部の収納ケースの他、各種物品や装置収納用のケースとして用いることができる。
【符号の説明】
【００４６】
１    ケース
２  側板
３  ガイドレール
４  シャッターカーテン（開閉体）
１０  壁面
１２    背板
１４  天井板
１６  上カバー、１６' 前縁部
１８  ガイドレール
２０  下カバー
２２  前カバー（２２ａ  上半部、２２ｂ  下半部）
２２' 上縁部、２２''  折曲部
２４  可撓性重錘
２６  シャフト本体
２８  支持軸
３０  ブラケット
３２  受け部
３２ａ  ガイド用突起部
３２ｂ  ストッパ部
３４  係止部
３４ａ  段差
５０  引戸（開閉体）
５０ａ  開口
６４  ガイドレール
６６  ガイドローラ
Ｂ１、Ｂ２    固定具
【図１】
0005524562.tif 000002
【図２】
0005524562.tif 000003
【図３】
0005524562.tif 000004
【図４】
0005524562.tif 000005
【図５】
0005524562.tif 000006
【図６】
0005524562.tif 000007